(57)【要約】【課題】  鼻緒を備えるサンダルにおいてフィット感や履き心地を向上する。【解決手段】  足載せ台１と、足載せ台１より立設された鼻緒２と、足載せ台１に対して足の甲を押さえつける甲押さえ帯体３と、を備えるサンダルである。甲押さえ帯体３に対する鼻緒２の頂部２２の取付位置を調節可能なように、該頂部２２を甲押さえ帯体３に対して着脱自在に構成する。【選択図】    図１
2009254551.tif 000002
【特許請求の範囲】
【請求項１】
足載せ台と、前記足載せ台より立設された鼻緒と、前記足載せ台に対して足の甲を押さえつける甲押さえ帯体と、を備え、
前記甲押さえ帯体に対する前記鼻緒の頂部の取付位置を調節可能なように、該頂部を前記甲押さえ帯体に対して着脱自在としたことを特徴とするサンダル。
【請求項２】
前記甲押さえ帯体は、相互に接続及び分離可能な第１及び第２部分からなることを特徴とする請求項１に記載のサンダル。
【請求項３】
前記鼻緒の前記頂部を前記第１部分と前記第２部分との間に挟み込むようにして取付可能であることを特徴とする請求項２に記載のサンダル。
【請求項４】
前記頂部は扁平に形成されていることを特徴とする請求項１乃至３のいずれか一項に記載のサンダル。
【請求項５】
前記鼻緒の前記頂部は面ファスナー構造により前記甲押さえ帯体に対して着脱自在とされていることを特徴とする請求項１乃至４のいずれか一項に記載のサンダル。
【請求項６】
前記鼻緒の頂部は面ファスナー構造により前記第１部分及び前記第２部分に対して着脱自在とされていることを特徴とする請求項３に記載のサンダル。
【発明の詳細な説明】
【技術分野】
【０００１】
本発明は、サンダルに関する。
【背景技術】
【０００２】
鼻緒を備える従来の一般的なサンダルは、鼻緒と甲押さえ帯体とが一体的に構成されている。
【０００３】
本発明に関連する先行技術文献としては、例えば、特許文献１がある。
【０００４】
特許文献１のサンダルは、足載せ台より立設された鼻緒と、足載せ台の右側に一端が固定された第１甲押さえ帯体と、足載せ台の左側に一端が固定された第２甲押さえ帯体と、を備え、第１及び第２甲押さえ帯体が面ファスナー構造により相互に着脱自在とされ、鼻緒が足の指の間を上側に突き付けるように足を足載せ台に載せた状態で、第１及び第２甲押さえ帯体を鼻緒の頂部を通過するようにして互いに接続し、第１及び第２甲押さえ帯体によって足の甲を上側から押さえるように構成されている。
【特許文献１】実開昭６２−０２４７０１号公報
【発明の開示】
【発明が解決しようとする課題】
【０００５】
同じサイズの足であっても足の親指辺りの分厚さには個人差があるが、鼻緒を備える従来の一般的なサンダルは鼻緒と甲押さえ帯体とが一体的に構成されているため、足の親指辺りの分厚さによっては、足載せ台と甲押さえ帯体との間が窮屈であったり逆に隙間が大きかったりというように、フィット感が得られないという問題があった。
【０００６】
また、特許文献１のサンダルの場合も、足載せ台から鼻緒の頂部までの高さが略一定に保たれる構造であるため、足の親指辺りの分厚さによっては、同様に、フィット感が得られないという問題もある。
【０００７】
また、特許文献１のサンダルの場合、鼻緒の頂部が甲押さえ帯体に対して固定される訳ではない。このため、鼻緒の姿勢を保ち足をサンダル内に好適にホールドするために、鼻緒がさほど変形しないよう鼻緒をある程度以上の固さの素材により構成する必要がある。よって、履き心地が良くないといった問題や、“鼻緒ずれ”を起こしやすいという問題がある。特に、外反母趾などを患う使用者にとってはなおさら問題が深刻である。
【０００８】
また、足における指の配置にも個人差があるため、鼻緒の位置が一定であると、人によっては、フィット感が得られず、履き心地が良くない或いは鼻緒ずれを起こしやすいといった問題を生じる。この場合も、外反母趾などを患う使用者にとっては問題が深刻である。
【０００９】
本発明は、上記のような問題を解決することが可能なサンダルを提供することを目的とする。
【課題を解決するための手段】
【００１０】
上記課題を解決するため、本発明のサンダルは、足載せ台と、前記足載せ台より立設された鼻緒と、前記足載せ台に対して足の甲を押さえつける甲押さえ帯体と、を備え、前記甲押さえ帯体に対する前記鼻緒の頂部の取付位置を調節可能なように、該頂部を前記甲押さえ帯体に対して着脱自在としたことを特徴としている。
【００１１】
本発明のサンダルにおいては、前記甲押さえ帯体は、相互に接続及び分離可能な第１及び第２部分からなることが好ましい。
【００１２】
本発明のサンダルにおいては、前記鼻緒の前記頂部を前記第１部分と前記第２部分との間に挟み込むようにして取付可能であることが好ましい。
【００１３】
本発明のサンダルにおいては、前記頂部は扁平に形成されていることが好ましい。
【００１４】
本発明のサンダルにおいては、前記鼻緒の前記頂部は面ファスナー構造により前記甲押さえ帯体に対して着脱自在とされていることが好ましい。
【００１５】
本発明のサンダルにおいては、前記鼻緒の頂部は面ファスナー構造により前記第１部分及び前記第２部分に対して着脱自在とされていることが好ましい。
【発明の効果】
【００１６】
本発明によれば、甲押さえ帯体に対する鼻緒の頂部の取付位置を調節可能なように、鼻緒の頂部を甲押さえ帯体に対して着脱自在であるので、甲押さえ帯体に対する鼻緒の頂部の位置を適宜に調節することにより、足載せ台から鼻緒の頂部までの高さをも同時に調節することができる。すなわち、足の親指辺りの分厚さの個人差に応じて、足載せ台から鼻緒の頂部までの高さを適宜に調節することにより、フィット感があるようにサンダルを履くことが可能である。
【００１７】
同様に、足における指の配置の個人差に応じて鼻緒の位置を調節することができるため、フィット感があるようにサンダルを履くことが可能である。
【００１８】
また、特許文献１とは異なり、鼻緒の頂部が甲押さえ帯体に対して取り付けられるので、鼻緒がさほど固い素材でなくても、鼻緒の姿勢を一定に保ち、足をサンダル内に好適にホールドすることができる。すなわち、特許文献１と比べると、鼻緒の素材を柔らかいものにすることができるので、履き心地が良好となるとともに、鼻緒ずれを起こしにくいようにできる。特に、外反母趾などを患う使用者にとっては、改善効果が高いと言える。
【発明を実施するための最良の形態】
【００１９】
以下、図面を参照して、本発明に係る実施形態について説明する。
【００２０】
〔第１の実施形態〕
図１及び図３は第１の実施形態に係るサンダル１００の斜視図、図２はサンダル１００の側面図である。
【００２１】
なお、図１乃至図３には、サンダル１００の左足部分のみを示している。サンダル１００の右足部分は、左足部分と左右対称に構成されているため、図示及び説明を省略する。また、以下では、便宜上、図１乃至図３に示す左足部分のみを指して“サンダル１００”と称する。
【００２２】
また、図２においては、便宜上、甲押さえ帯体３における第１部分３１（後述）の図示を省略している。
【００２３】
図１乃至図３に示すように、本実施形態に係るサンダル１００は、使用者の足が載せられる足載せ台１と、この足載せ台１における前部より立設された鼻緒２と、足載せ台１に対して使用者の足の甲を押さえつける甲押さえ帯体３と、使用者の足首を保持する足首保持部４と、を備えて構成されている。
【００２４】
足載せ台１は、足の外形に沿うような平面形状に形成された台状のものであり、サンダル底と称される。
【００２５】
鼻緒２は、足載せ台１の前部より起立するように足載せ台１に設けられた鼻緒本体２１と、この鼻緒本体２１の上端に連なるように該鼻緒本体２１と一体的に設けられた頂部２２と、を備えて構成されている。
【００２６】
鼻緒２は、例えば、その全体が可撓性の素材により構成されている。
【００２７】
鼻緒本体２１は、その下端部２３が足載せ台１の前部に固定されている。
【００２８】
鼻緒本体２１の下端部２３の位置は、例えば、サンダル１００を履く使用者の足の親指と人差し指との間に鼻緒本体２１が挟まれるような配置に設定されている。
【００２９】
頂部２２は、例えば、扁平に形成された本体部２５（図２）と、該本体部２５の一方の面に設けられた第１面ファスナー２３（図２）と、該本体部２５の他方の面に設けられた第２面ファスナー２４と、を備えて構成されている。
【００３０】
第１及び第２面ファスナー２３，２４のうち、一方の面ファスナー２３は、例えば、甲押さえ帯体３の後述する第１部分３１の第３面ファスナー３４に対して着脱されるようになっている。また、他方の面ファスナー２４は、例えば、甲押さえ帯体３の後述する第２部分３２の第４面ファスナー３６に対して着脱されるようになっている。
【００３１】
つまり、頂部２２は、甲押さえ帯体３の第１部分３１及び第２部分３２に対してそれぞれ着脱自在となっている。
【００３２】
なお、頂部２２は、甲押さえ帯体３の第１及び第２部分３１，３２にそれぞれ取り付けし易いように、鼻緒本体２１よりも後傾していることが好ましい。このため、例えば、図２に示すように、鼻緒２は、側面から見ると、鼻緒本体２１と頂部２２との境界において、くの字状に屈折している。
【００３３】
次に、甲押さえ帯体３は、本実施形態の場合、相互に接続及び分離が可能な第１部分３１と第２部分３２とからなる。
【００３４】
第１部分３１は、可撓性の素材からなる帯状体である本体部３３と、この本体部３３の片面に設けられた第３面ファスナー３４と、を備えて構成されている。第１部分３１の本体部３３は、その一端部が、足載せ台１の前部における左端に沿って固定されている。第３面ファスナー３４は、具体的には、例えば、第１部分３１が第２部分３２と接続された際に上側を向く面に備えられている。
【００３５】
同様に、第２部分３２は、可撓性の素材からなる帯状体である本体部３５と、この本体部３５の片面に設けられた第４面ファスナー３６と、を備えて構成されている。第２部分３２の本体部３５は、その一端部が、足載せ台１の前部における右端に沿って固定されている。第４面ファスナー３６は、具体的には、例えば、第２部分３２が第１部分３１と接続された際に下側を向く面に備えられている。
【００３６】
第３面ファスナー３４と第４面ファスナー３６とは、相互に貼り合わせることにより一体化する。この一体化により、図３に示すように、第１部分３１と第２部分３２とが相互に接続され、これら第１部分３１と第２部分３２が一体の甲押さえ帯体３として機能するようになっている。
【００３７】
また、第３面ファスナー３４と第４面ファスナー３６とを相互に引き剥がすことにより、図１に示すように、第１部分３１と第２部分３２とを相互に分離させることができる。
【００３８】
なお、例えば、第３面ファスナー３４と第４面ファスナー３６とのうちの何れか一方はフック状に起毛されたフック面、何れか他方はループ状に起毛されたループ面であることが挙げられるが、面ファスナー３４、３６ともにフック状起毛とループ状起毛の双方を備えており、フック面とループ面との区別がないようにしても良い。要するに、第３面ファスナー３４と第４面ファスナー３６とは相互に接続及び分離が可能であれば、その具体的構造は問わない。
【００３９】
同様に、鼻緒２の頂部２２の第１面ファスナー２３は、第３面ファスナー３４３と相互に接続及び分離が可能であれば、その具体的構造は問わない。同様に、鼻緒２の頂部２２の第２面ファスナー２４は、第４面ファスナー３６と相互に接続及び分離が可能であれば、その具体的構造は問わない。
【００４０】
次に、足首保持部４は、足載せ台１の後部における左右両端からそれぞれ起立する左右一対の起立部４１，４２と、この起立部４１，４２の上端に一体的に設けられ足首に巻き付けられる巻き付け部４３と、を備えて構成されている。
【００４１】
左の起立部４１は、その下端部が足載せ台１の後部における左端部に固着され、足の形に沿うように外側に膨らむようにして上側に向けて起立している。
【００４２】
同様に、右の起立部４２は、その下端部が足載せ台１の後部における右端部に固着され、足の形に沿うように外側に膨らむようにして上側に向けて起立している。
【００４３】
巻き付け部４３は、例えば、足首の後側に沿わされる後側帯体４４と、足首の前側に沿わされる前側帯体４５と、この前側帯体４５が通される通し環４６と、を備えて構成されている。
【００４４】
このうち後側帯体４４は、足首の形に沿うよう後側に膨らむようにして、起立部４１の上端部における後部から起立部４２の上端部における後部に亘って架け渡され、起立部４１及び起立部４２と一体的に設けられている。
【００４５】
前側帯体４５は、後側帯体４４のおよそ２倍程度の長さに設定されている。
【００４６】
前側帯体４５は、その一端が起立部４１の上端部に一体的に設けられている。
【００４７】
そして、前側帯体４５において、起立部４１に近い側の半部４５Ａには第５面ファスナー４７が、起立部４１から遠い側の半部４５Ｂには第６面ファスナー４８が、それぞれ備えられている。
【００４８】
第５面ファスナー４７と第６面ファスナー４８とは、相互に接続及び分離が可能である。
【００４９】
通し環４６は、起立部４２の上端部における前部に設けられている。
【００５０】
次に、使用者がサンダル１００を履く動作の一例を説明する。
【００５１】
例えば、先ず、足を足載せ台１上に載せる。この際、足の親指と人差し指との間に鼻緒本体２１を挟み込むようにする。なお、この段階では、例えば、甲押さえ帯体３の第１部分３１と第２部分３２とは分離しており、また、鼻緒２の頂部２２は第１部分３１及び第２部分３２の何れとも分離しているものとする。
【００５２】
次に、甲押さえ帯体３の第１部分３１を足の甲に沿って配置する。
【００５３】
次に、鼻緒２の頂部２２の第１面ファスナー２３を、第１部分３１の上面の第３面ファスナー３４に対して貼り付けることにより、頂部２２を第１部分３１に取り付ける。この際、第１部分３１に対する頂部２２の取付位置は、鼻緒本体２１が足にフィットするような取付位置に調節する。すなわち、第１部分３１に対する頂部２２の取付位置は、前後・左右において、適宜に調節することができる。
【００５４】
この段階での鼻緒２と第１部分３１との位置関係は、図１に示すような状態である。
【００５５】
次に、甲押さえ帯体３の第２部分３２を、第１部分３１及び頂部２２を上側から覆うようにして足の甲に沿って配置するとともに、第４面ファスナー３６を第２面ファスナー２４及び第３面ファスナー３４に対して貼り付ける。つまり、第２部分３２を頂部２２及び第１部分３１に対して取り付ける。この際に、第１部分３１及び頂部２２に対する第２部分３２の取付位置は、甲押さえ帯体３と足の甲とのフィット感が得られるように、適宜に調節する。
【００５６】
この段階での鼻緒２、第１部分３１及び第２部分３２の位置関係は、図３に示すような状態である。
【００５７】
次に、例えば、足首保持部４の巻き付け部４３の前側帯体４５が通し環４６から外れていれば、前側帯体４５を足首の前側を介して通し環４６に通す。そして、前側帯体４５を通し環４６にてループ状に折り返し、第６面ファスナー４８を第５面ファスナー４７に対して貼り付ける。この際、巻き付け部４３の後側帯体４４及び前側帯体４５が足首に対してフィット感があるように巻き付くように、第５面ファスナー４７に対する第６面ファスナー４８の貼り付け位置を適宜に調節する。
【００５８】
この段階での足首保持部４は、図３に示すような状態である。
【００５９】
なお、上述したようなサンダル１００を履くときの動作は一例を示したに過ぎず、手順は様々に変化しても良いのは勿論である。
【００６０】
以上のような第１の実施形態によれば、甲押さえ帯体３（第１部分３１及び第２部分３２）に対する鼻緒２の頂部２２の取付位置を調節可能なように、頂部２２を甲押さえ帯体３に対して着脱自在であるので、甲押さえ帯体３に対する頂部２２の位置を適宜に調節することにより、足載せ台１から頂部２２までの高さをも同時に調節することができる。すなわち、鼻緒本体２１の下端部２３の位置は足載せ台１に対して不変であるが、頂部２２の位置を調節可能であることから、該頂部２２の位置の変化に応じて鼻緒本体２１の位置（経路ないしは姿勢）も変化させることができ、その変化に伴い、足載せ台１から頂部２２までの高さも調節することができる。よって、足の親指辺りの分厚さの個人差に応じて、足載せ台１から鼻緒２の頂部２２までの高さを適宜に調節することにより、フィット感があるようにサンダル１００を履くことが可能である。
【００６１】
同様に、足における指の配置の個人差に応じて、鼻緒本体２１の位置（経路ないしは姿勢）を調節することができるため、フィット感があるようにサンダルを履くことが可能である。
【００６２】
また、特許文献１とは異なり、鼻緒２の頂部２２が甲押さえ帯体３に対して取り付けられるので、鼻緒本体２１がさほど固い素材でなくても、鼻緒本体２１の姿勢を一定に保ち、足をサンダル１００内に好適にホールドすることができる。すなわち、特許文献１と比べると、鼻緒本体２１の素材を柔らかいもの（例えば、合皮など）にすることができるので、履き心地が良好となるとともに、鼻緒ずれを起こしにくいようにできる。特に、外反母趾などを患う使用者にとっては、改善効果が高いと言える。
【００６３】
また、本実施形態の場合、甲押さえ帯体３が相互に接続及び分離が可能な第１部分３１と第２部分３２とからなるので、第１部分３１と第２部分３２との相互の取付位置を適宜に調節することにより、足の甲の分厚さや幅に応じて、甲押さえ帯体３のループ長を調節することができる。
【００６４】
また、本実施形態の場合、鼻緒２の頂部２２を第１部分３１と第２部分３２との間に挟み込むようにして取り付けるため、その取付強度を確保しやすく、また、頂部２２が直接足の甲に触れることに起因する履き心地の悪さも回避できる。
【００６５】
また、鼻緒２の頂部２２が扁平に（薄く）形成されているので、頂部２２の感触が足の甲に伝わりにくく、より一層履き心地を快適にすることができる。
【００６６】
〔第２の実施形態〕
上記の第１の実施形態では、甲押さえ帯体３が第１及び第２部分３１，３２からなる例を説明したが、第２の実施形態では、甲押さえ帯体３が一体のアーチ状の帯状体からなる例を説明する。
【００６７】
図４は第２の実施形態に係るサンダル２００の斜視図である。
【００６８】
なお、図４には、サンダル２００の左足部分のみを示している。サンダル２００の右足部分については、左足部分と左右対称に構成されているため、図示及び説明を省略する。また、以下では、便宜上、図４に示す左足部分のみを指して“サンダル２００”と称する。
【００６９】
サンダル２００は、その甲押さえ帯体３及び鼻緒２の構造のみが上記の第１の実施形態に係るサンダル１００と相違し、その他はサンダル１００と同様に構成されているため、以下では、甲押さえ帯体３及び鼻緒２以外の構成についての説明は省略する。
【００７０】
図４に示すように、本実施形態の場合、甲押さえ帯体３は、一体のアーチ状の帯状体からなる。すなわち、甲押さえ帯体３の一端部は足載せ台１の前部における左端に沿って固定され、他端部は足載せ台１の前部における右端に沿って固定されている。なお、甲押さえ帯体３は全体が可撓性の素材からなる。
【００７１】
この甲押さえ帯体３は、その下面に、上記の第１の実施形態における第４面ファスナー３４に相当する面ファスナー（図示略）を備えている。
【００７２】
また、本実施形態の場合、鼻緒２は、上記の第１の実施形態の場合の鼻緒２から第１面ファスナー２３を除いた構成となっている。すなわち、本実施形態の場合、鼻緒２は、上記の第１の実施形態における第２面ファスナー２４に相当する面ファスナー（図示略）を備えている。
【００７３】
従って、本実施形態の場合、甲押さえ帯体３に対する鼻緒２の頂部２２（図示略）の取付位置を調節可能なように、該頂部２２を甲押さえ帯体３の下面に対して着脱自在となっている。
【００７４】
以上のような第２の実施形態によれば、第１の実施形態と同様の効果が得られる。
【００７５】
ただし、第１の実施形態とは違って、甲押さえ帯体３が元々一体的に構成されているため、足の甲の分厚さや幅に応じて、甲押さえ帯体３のループ長を調節することはできない。
【００７６】
また、鼻緒２の頂部２２を第１部分３１と第２部分３２との間に挟み込むようにして取り付ける訳ではないため、甲押さえ帯体３に対する頂部２２の取付強度は第１の実施形態よりも劣り、頂部２２が直接足の甲に触れるため、履き心地の面でも第１の実施形態よりも劣る。
【００７７】
〔第３の実施形態〕
上記の第２の実施形態では、甲押さえ帯体３が元々一体的に構成されている場合において、鼻緒２の頂部２２が直接足の甲に触れる例を説明したが、第３の実施形態では、甲押さえ帯体３が元々一体的に構成されている場合において、鼻緒２の頂部２２が直接足の甲に触れないようにした例を説明する。
【００７８】
図５は第３の実施形態に係るサンダル３００の斜視図である。
【００７９】
なお、図５には、サンダル３００の左足部分のみを示している。サンダル３００の右足部分については、左足部分と左右対称に構成されているため、図示及び説明を省略する。また、以下では、便宜上、図５に示す左足部分のみを指して“サンダル３００”と称する。
【００８０】
サンダル３００は、その甲押さえ帯体３及び鼻緒２の構造のみが上記の第２の実施形態に係るサンダル２００と相違し、その他はサンダル２００と同様に構成されているため、以下では、甲押さえ帯体３及び鼻緒２以外の構成についての説明は省略する。
【００８１】
図５に示すように、本実施形態の場合も、甲押さえ帯体３は、第２の実施形態と同様に、一体のアーチ状の帯状体からなる。
【００８２】
ただし、この甲押さえ帯体３は、その上面に面ファスナー３７を備えているが、下面には面ファスナーを備えていない。
【００８３】
また、本実施形態の場合、鼻緒２は、上記の第１の実施形態の場合の鼻緒２から第２面ファスナー２４を除いた構成となっている。すなわち、本実施形態の場合、鼻緒２の頂部２２は、第２面ファスナー２４を備えている。
【００８４】
第２面ファスナー２４は、面ファスナー３７と相互に接続及び分離が可能である。
【００８５】
従って、本実施形態の場合、甲押さえ帯体３に対する鼻緒２の頂部２２の取付位置を調節可能なように、該頂部２２を甲押さえ帯体３の上面に対して着脱自在となっている。
【００８６】
以上のような第３の実施形態によれば、第２の実施形態と同様の効果が得られる。
【００８７】
しかも、頂部２２が直接足の甲に触れないため、第２の実施形態よりも良好な履き心地が得られる。
【００８８】
なお、上記の第１の実施形態のように甲押さえ帯体３が第１部分３１と第２部分３２とからなる場合においても、上記の第３の実施形態と同様に鼻緒２の頂部２２を甲押さえ帯体３の上面に対して着脱可能であるように構成しても良い。
【００８９】
また、上記の各実施形態では、サンダル１００，２００，３００がそれぞれ足首保持部４を備えている例を説明したが、サンダル１００，２００，３００は足首保持部４を備えていなくても良い。
【図面の簡単な説明】
【００９０】
【図１】第１の実施形態に係るサンダルの斜視図であり、特に、甲押さえ帯体の第１部分と第２部分とを分離させた状態を示す。
【図２】第１の実施形態に係るサンダルの側面図である。ただし、甲押さえ帯体の第１部分の図示を省略している。
【図３】第１の実施形態に係るサンダルの斜視図であり、特に、甲押さえ帯体の第１部分１と第２部分とを接続させた状態を示す。
【図４】第２の実施形態に係るサンダルの斜視図である。
【図５】第３の実施形態に係るサンダルの斜視図である。
【符号の説明】
【００９１】
１  足載せ台
２  鼻緒
２２  頂部
２３  第１面ファスナー
２４  第２面ファスナー
３  甲押さえ帯体
３１  第１部分
３２  第２部分
３４  第３面ファスナー
３６  第４面ファスナー
３７  面ファスナー
１００  サンダル
２００  サンダル
３００  サンダル
【図１】
2009254551.tif 000003
【図２】
2009254551.tif 000004
【図３】
2009254551.tif 000005
【図４】
2009254551.tif 000006
【図５】
2009254551.tif 000007